(57)【特許請求の範囲】
【請求項１】
構造物の外壁面から所定間隔離れて鉛直方向に延びる外装部を構築する外装部構築方法であって、
前記外装部は、前記外壁面の所定位置に配置された複数の支持部材を介して前記構造物に支持される構造であり、
前記外装部を前記支持部材で支持しながら下層から上層に向かって組み立てるとともに、
当該組み立て工程では、組み立て途中の外装部の最上部の部材を仮設支持部材で前記構造物に仮支持させておくことを特徴とする外装部構築方法。
【請求項２】
前記仮設支持部材を下層から上層に盛り替えて用いることを特徴とする請求項１に記載の外装部構築方法。
【請求項３】
前記仮設支持部材の長さを調整して、前記最上部の部材の高さレベルを調整することを特徴とする請求項１または２に記載の外装部構築方法。
【発明の詳細な説明】
【技術分野】
【０００１】
本発明は、外装部構築方法に関する。詳しくは、構造物の外壁面の外側に所定間隔離れて外装部を構築する外装部構築方法に関する。
【背景技術】
【０００２】
従来より、建物の周囲に外装パネルを取付けて、この外装パネルにより外壁面を構築することが行われている。具体的には、外装パネルは、建物の外周部の床や梁などの構造体に、ファスナーを介して取り付けられる（特許文献１参照）。
【先行技術文献】
【特許文献】
【０００３】
【特許文献１】特開２０１０−５９６３９号公報
【発明の概要】
【発明が解決しようとする課題】
【０００４】
ところで、この外装パネルが建物から所定間隔離れて設けられる場合がある。この場合、建物の外壁面と外装部との間隔が広くなるため、上述のファスナーを用いることはできず、例えば棒状の支持部材を用いて外装パネルを建物の構造体に支持させる。
このような外装パネルは、支持部材で建物から支持しながら、下層から上層に向かって取付けてゆくが、組み立て途中の最上部の外装パネルを確実に支持できない場合があり、施工の安全性や施工精度を確保するのが困難であった。
【０００５】
本発明は、外装部を安全かつ精度良く構築できる外装部構築方法を提供することを目的とする。
【課題を解決するための手段】
【０００６】
請求項１に記載の外装部構築方法は、構造物の外壁面から所定間隔離れて鉛直方向に延びる外装部を構築する外装部構築方法であって、前記外装部は、前記外壁面の所定位置に配置された複数の支持部材を介して前記構造物に支持される構造であり、前記外装部を前記支持部材で支持しながら下層から上層に向かって組み立てるとともに、当該組み立て工程では、組み立て途中の外装部の最上部の部材を仮設支持部材で前記構造物に仮支持させておくことを特徴とする。
【０００７】
この発明によれば、外装部を下層から上層に向かって組み立てる際に、組み立て途中の最上部の部材を仮設支持部材で構造物に仮支持させておく。よって、組み立て途中でも、最上部の部材を確実に構造物から支持できるので、安全かつ精度良く外装部を構築できる。
【０００８】
請求項２に記載の外装部構築方法は、前記仮設支持部材を下層から上層に盛り替えて用いることを特徴とする。
【０００９】
この発明によれば、仮設支持部材を下層から上層に盛り替えて用いたので、仮設支持部材の製作個数を低減できるから、施工費用を低減できる。
【００１０】
請求項３に記載の外装部構築方法は、前記仮設支持部材の長さを調整して、前記最上部の部材の高さレベルを調整することを特徴とする。
【００１１】
この発明によれば、仮設支持部材の長さを調整して、最上部の部材のレベルを調整したので、外装部を構成する部材の位置や姿勢を容易に調整して、施工精度をさらに向上できる。
【発明の効果】
【００１２】
本発明によれば、外装部を下層から上層に向かって組み立てる際に、組み立て途中の最上部の部材を仮設支持部材で構造物に仮支持させておく。よって、組み立て途中でも、最上部の部材を確実に構造物から支持できるので、安全かつ精度良く外装部を構築できる。
【図面の簡単な説明】
【００１３】
【図１】本発明の一実施形態に係る外装部構築方法が適用された建物のウイング部の横断面図である。
【図２】前記実施形態に係る建物のＩＩ−ＩＩ断面図である。
【図３】前記実施形態に係るニードルおよびロッドの配置パターンを示す斜視図である。
【図４】前記実施形態に係る配置パターンの第１層部分の拡大斜視図である。
【図５】前記実施形態に係るウイング部を構築する手順を説明するための図である。
【図６】前記実施形態に係る仮設ロッドの斜視図である。
【図７】前記実施形態に係る仮設ロッドの調整機構の拡大図である。
【発明を実施するための形態】
【００１４】
以下、本発明の一実施形態について、図面を参照しながら説明する。
図１は、本発明の一実施形態に係る外装部構築方法が適用された建物１のウイング部２０の横断面図であり、図２は、建物１のＩＩ−ＩＩ断面図である。
建物１は、平面視で略形状であり、建物１の正面側の両端部は、内側に凹んだ凹部２となっている。この建物１の正面側には、凹部２を覆うように側方に突出して鉛直方向に延びる外装部としてのウイング部２０が設けられている。
【００１５】
以下、建物１を正面側から視て、左側のウイング部２０について説明する。なお、右側のウイング部２０についても、この左側のウイング部２０と同様の構成である。
【００１６】
建物１は、複数の柱１０と、これら柱１０の柱頭部同士の間に架設された複数の梁１１と、梁１１に支持される図示しない床スラブと、外周の梁１１に支持された複数のカーテンウォール１２と、を備える。
【００１７】
外周の梁１１には、所定箇所にブラケット１３が取り付けられ、カーテンウォール１２は、このブラケット１３の先端にファスナー１４を介して取り付けられている。
【００１８】
カーテンウォール１２は、平板矩形状であり、水平方向および鉛直方向に並んで配置されて、屋内と屋外とを仕切る外壁面３を形成するものである。
【００１９】
以下、凹部２の正面側の外壁面３を外壁面３Ａとし、凹部２の側面側の外壁面３を外壁面３Ｂとし、建物１の正面側の外壁面３を外壁面３Ｃとする。
外壁面３Ａは、カーテンウォール１２が水平方向に３枚並んで構成され、これらのカーテンウォール１２は、４つのブラケット１３に設けられたファスナー１４で支持されている。
【００２０】
これら４つのブラケット１３のうち中央の２つには、接続プレート１５Ａ、１５Ｂが設けられており、これら接続プレート１５Ａ、１５Ｂは、カーテンウォール１２同士の隙間を通って外壁面３Ａから外部に突出している。
ここで、接続プレート１５Ａ、１５Ｂのうち、内側（外壁面３Ｂ側）に位置するものを接続プレート１５Ａとし、外側に位置するものを接続プレート１５Ｂとする。
【００２１】
ウイング部２０は、外壁面３Ｂと外壁面３Ｃとの出隅部から、外壁面３Ｃに略平行に延びている。
このウイング部２０は、外壁面３Ａの所定位置に設けられた複数の支持部材としてのニードル３０Ａ、３０Ｂ、３０Ｃおよびロッド４０Ａ、４０Ｂ、４０Ｃ、４０Ｄを介して、外壁面３Ａから所定間隔離れて建物１の構造体に支持されている。
【００２２】
ウイング部２０の外観は、建物１の外壁面３Ｃの外観と同様であり、さらに、このウイング部２０の正面は、建物１の外壁面３Ｃと面一となっている。このため、建物１の正面の外観（ファサード）では、凹部２が隠れるようになっている。
【００２３】
ウイング部２０は、各層の床レベルで設けられて水平方向に延びる複数の耐風梁２１と、鉛直方向に２列に設けられて耐風梁２１同士を連結する断面Ｔ字形状の複数のマリオンサポート２２Ａ、２２Ｂと、これら耐風梁２１およびマリオンサポート２２Ａ、２２Ｂに取り付けられた平板矩形状のパネル２３と、を備える。
【００２４】
耐風梁２１は、ジョイントピース２４を介して外壁面３Ｃと外壁面３Ｂとの出隅部のブラケット１３に連結されている。
ここで、マリオンサポート２２Ａ、２２Ｂのうち、内側（外壁面３Ｃ側）に位置するものをマリオンサポート２２Ａとし、外側に位置するものをマリオンサポート２２Ｂとする。
【００２５】
図３は、ニードル３０Ａ〜３０Ｃおよびロッド４０Ａ〜４０Ｄの配置パターンを示す斜視図である。
ウイング部２０を支持する３０Ａ〜３０Ｃおよびロッド４０Ａ〜４０Ｄの配置は、第１層から第６層までの６層分を１ロットとして、このロットを複数回繰り返す構成である。
【００２６】
ニードル３０Ａは、第６層に設けられ、接続プレート１５Ａから略水平に延びて、この接続プレート１５Ａと同じ高さの耐風梁２１のマリオンサポート２２Ａの位置に連結されている。
ニードル３０Ｂは、第１層から第６層まで全ての層に設けられ、接続プレート１５Ｂから略水平に延びて、この接続プレート１５Ｂと同じ高さの耐風梁２１のマリオンサポート２２Ｂの位置に連結されている。
ニードル３０Ｃは、第６層に設けられ、接続プレート１５Ｂから外側に向かって略水平に延びて、この接続プレート１５Ｂと同じ高さの耐風梁２１の外端部に連結されている。
【００２７】
ロッド４０Ａは、第１層に設けられ、接続プレート１５Ａから斜め下方に延びて、この接続プレート１５Ａの下層の耐風梁２１のマリオンサポート２２Ａの位置に連結されている。
ロッド４０Ｂは、第１層に設けられ、接続プレート１５Ｂから斜め下方に延びて、この接続プレート１５Ｂの下層の耐風梁２１のマリオンサポート２２Ｂの位置に連結されている。
ロッド４０Ｃは、第１層に設けられ、接続プレート１５Ｂから外側に向かって斜め下方に延びて、この接続プレート１５Ｂの下層の耐風梁２１の外端部に連結されている。
ロッド４０Ｄは、第１層に設けられ、接続プレート１５Ｂから斜め上方に延びて、この接続プレート１５Ｂの上層の耐風梁２１のマリオンサポート２２Ｂの位置に連結されている。
【００２８】
図４は、配置パターンの第１層部分の拡大斜視図である。図４では、ウイング部２０のうち耐風梁２１のみを表示している。
ロッド４０Ａ〜４０Ｄは、外壁面３Ａから突出する接続プレート１５Ａ、１５Ｂに連結されるフォークエンド４１と、耐風梁２１に連結されるフォークエンド４２と、これらフォークエンド４１、４２を連結する棒状のロッド本体４３と、を備える。
【００２９】
フォークエンド４１は、略水平かつ外壁面３Ａに沿った方向を回動軸として、接続プレート１５Ａ、１５Ｂに回動可能に連結される。
【００３０】
耐風梁２１の上面または下面には、接続プレート２１１が突出して設けられている。フォークエンド４２は、略水平かつ外壁面３Ａに沿った方向を回動軸として、接続プレート２１１に回動可能に連結される。
【００３１】
以上のウイング部２０は、以下の手順で構築される。
すなわち、図５に示すように、３層分高さを有する吊り足場５０を凹部２内で組み立てて、建物１の構造体から吊り下げ支持しておく。この吊り足場５０を上昇させながら、ニードル３０Ａ〜３０Ｃおよびロッド４０Ａ〜４０Ｄを取り付けて、ウイング部２０を１層分ずつ組み立ててゆく。
【００３２】
この組み立て工程では、仮設支持部材としての仮設ロッド６０を用意し、この仮設ロッド６０を用いて、組み立て途中の最上部の耐風梁２１を建物１の接続プレート１５Ｂから仮支持するとともに、この仮設ロッド６０の長さを調整して、この最上部の耐風梁２１の高さレベルを調整する。この仮設ロッド６０の配置を、図３中破線で示す。
【００３３】
ここで、この仮設ロッド６０を下層から上層に盛り替えて用いている。具体的には、２層分下の仮設ロッド６０を取り外して、転用している。
【００３４】
図６は、仮設ロッド６０の斜視図である。
仮設ロッド６０は、外壁面３Ａから突出する接続プレート１５Ｂに連結されるフォークエンド６１と、このフォークエンド６１に連結された棒状のロッド本体６２と、耐風梁２１に連結されるフォークエンド６３と、このフォークエンド６３に連結された棒状のロッド本体６４と、これらロッド本体６２、６４の距離を調整可能な調整機構６５と、を備える。
【００３５】
フォークエンド６１は、略水平かつ外壁面３Ａに沿った方向を回動軸として、接続プレート１５Ｂに回動可能に連結される。
【００３６】
耐風梁２１の上面には、接続プレート２１１が取付けられている。フォークエンド６３は、略水平かつ外壁面３Ａに沿った方向を回動軸として、接続プレート２１１に回動可能に連結される。
【００３７】
図７は、仮設ロッド６０の調整機構６５の拡大図である。
調整機構６５は、所定長さの箱状の本体６５１と、この本体に長さ方向に摺動可能な摺動部６５２と、この摺動部６５２を進退させる油圧機構６５３と、を備える。
ロッド本体６２は、本体の一端面に固定されている。
ロッド本体６４は、本体の他端面を貫通して、摺動部６５２に固定されている。
【００３８】
この調整機構６５では、以下の手順で仮設ロッド６０の長さを調整する。
まず、手動の油圧ポンプ６６を油圧機構６５３に連結して駆動することで、摺動部６５２が進退させ、ロッド本体６２、６４の距離を調整して、仮設ロッド６０の長さを調整する。
次に、ナット６５４で締付けて、ロッド本体６４を本体６５１の他端側に係止させて、仮設ロッド６０の長さを固定する。
その後、油圧ポンプ６６を油圧機構６５３から取り外す。
【００３９】
本実施形態によれば、以下のような効果がある。
（１）ウイング部２０を下層から上層に向かって組み立てる際に、組み立て途中の最上部の耐風梁２１を仮設ロッド６０で建物１に仮支持させておく。よって、組み立て途中でも、最上部の耐風梁２１を確実に建物１の構造体から支持できるので、安全かつ精度良くウイング部２０を構築できる。
【００４０】
（２）仮設ロッド６０を下層から上層に盛り替えて用いたので、仮設ロッド６０の製作個数を低減できるから、施工費用を低減できる。
【００４１】
（３）仮設ロッド６０の長さを調整して、最上部の耐風梁２１のレベルを調整したので、ウイング部２０を構成する耐風梁２１の位置や姿勢を容易に調整して、施工精度をさらに向上できる。
【００４２】
なお、本発明は前記実施形態に限定されるものではなく、本発明の目的を達成できる範囲での変形、改良等は本発明に含まれるものである。
【符号の説明】
【００４３】
１…建物（構造物）
２…凹部
３…外壁面
３Ａ…凹部の正面側の外壁面
３Ｂ…凹部の側面側の外壁面
３Ｃ…建物の正面側の外壁面
１０…柱
１１…梁
１２…カーテンウォール
１３…ブラケット
１４…ファスナー
１５Ａ、１５Ｂ…接続プレート
２０…ウイング部（外装部）
２１…耐風梁
２２Ａ、２２Ｂ…マリオンサポート
２３…パネル
２４…ジョイントピース
３０Ａ、３０Ｂ、３０Ｃ…ニードル（支持部材）
４０Ａ、４０Ｂ、４０Ｃ、４０Ｄ…ロッド（支持部材）
４１、４２…フォークエンド
４３…ロッド本体
５０…吊り足場
６０…仮設ロッド（仮設支持部材）
６１…フォークエンド
６２…ロッド本体
６３…フォークエンド
６４…ロッド本体
６５…調整機構
６６…油圧ポンプ
２１１…接続プレート
６５１…本体
６５２…摺動部
６５３…油圧機構
【図１】
0005522694.tif 000002
【図２】
0005522694.tif 000003
【図３】
0005522694.tif 000004
【図４】
0005522694.tif 000005
【図５】
0005522694.tif 000006
【図６】
0005522694.tif 000007
【図７】
0005522694.tif 000008